(57)【要約】【課題】上側板ばねとレンズ保持部材との固定部分が外れ難いレンズ駆動装置を提供する。【解決手段】レンズ駆動装置１００は、レンズ体を保持可能なレンズ保持部材１と、レンズ保持部材１を収容する固定側部材と、レンズ保持部材１を移動可能に支持する付勢部材３０と、レンズ保持部材１を移動させる移動機構とを備え、付勢部材３０は上側板ばね５と下側板ばねとからなり、上側板ばね５は、レンズ保持部材１に取り付けられる上側第１部分５ａと、固定側部材に固定される上側第２部分５ｂと、上側第１部分５ａと上側第２部分５ｂとの間に位置する上側弾性腕部５ｃとを有するレンズ駆動装置において、レンズ保持部材１は、上側第１部分５ａを取り付ける取付部１ａを有し、取付部１ａは延出されたフック部１ｂを有し、フック部１ｂは下面に受け部１ｃを有し、受け部１ｃに上側第１部分５ａが対向した状態で取り付けられている構成とした。【選択図】図１６
2015125417.tif 000002
【特許請求の範囲】
【請求項１】
レンズ体を保持可能な筒状のレンズ保持部材と、前記レンズ保持部材を収容する筐体を含む固定側部材と、前記レンズ保持部材を光軸方向へ移動可能に支持する付勢部材と、前記レンズ保持部材を光軸方向に沿って移動させる少なくとも磁石及びコイルを有して構成される移動機構とを備え、
前記付勢部材は、前記レンズ保持部材の上部に固定される上側板ばねと下部に固定される下側板ばねとからなり、
前記上側板ばねは、前記レンズ保持部材に取り付けられる第１部分と、前記固定側部材に固定される第２部分と、前記第１部分と第２部分との間に位置する弾性腕部とを有するレンズ駆動装置において、
前記レンズ保持部材は、前記上側板ばねの第１部分を取り付ける取付部を有し、
前記取付部は、光軸方向に交差する方向へ延出されたフック部を有し、前記フック部は下面に前記第１部分と係合する受け部を有し、前記受け部に前記第１部分が対向した状態で、前記上側板ばねの前記第１部分が前記フック部に取り付けられていることを特徴とするレンズ駆動装置。
【請求項２】
前記フック部の上面には、前記フック部の先端側へ向かって高さが低くなる第１テーパ部が設けられていることを特徴とする請求項１に記載のレンズ駆動装置。
【請求項３】
前記受け部は、光軸方向と直交する平坦面に形成された当接部と、前記当接部に連続するとともに、前記弾性腕部側に向かうにしたがって前記第１部分との間隔が広がるように傾斜する第２テーパ部とを有し、
前記当接部と前記第１部分とが係合されることを特徴とする請求項１または請求項２に記載のレンズ駆動装置。
【請求項４】
前記第１部分は、基部と中間部とを有し、
前記中間部は、前記基部よりも幅狭でかつ前記弾性腕部よりも幅広に形成され、前記基部と前記弾性腕部との間に位置するとともに、前記弾性腕部に接続する側の前記中間部の一部は前記第２テーパ部の下方に位置していることを特徴とする請求項３に記載のレンズ駆動装置。
【請求項５】
前記第１部分の一部は、前記レンズ保持部材に接着されていることを特徴とする請求項１ないし請求項４のいずれかに記載のレンズ駆動装置。
【請求項６】
前記第１部分は、前記レンズ保持部材の開口部を挟んで対向する位置にそれぞれ設けられており、前記第１部分に対応して、前記取付部が設けられ、
前記取付部に備えられた前記フック部は、それぞれ前記開口部から離れる方向へ延出していることを特徴とする請求項１ないし請求項５のいずれかに記載のレンズ駆動装置。
【請求項７】
前記コイルに電流を通電しない初期状態において、前記上側板ばねは前記レンズ保持部材を上方側に付勢していると共に、前記下側板ばねは前記レンズ保持部材を下方側に付勢していることを特徴とする請求項１ないし請求項６のいずれかに記載のレンズ駆動装置。
【発明の詳細な説明】
【技術分野】
【０００１】
本発明は、レンズ駆動装置に関し、特に、上側板ばねとレンズ保持部材とが機械的に係止されたレンズ駆動装置に関するものである。
【背景技術】
【０００２】
昨今、写真や動画の撮影機能を備えた携帯機器が多い。このような携帯機器には被写体の撮影時に撮影画像の焦点を自動で合わせるために、レンズ体を駆動させるレンズ駆動装置が内蔵されている。携帯機器に用いられるレンズ駆動装置としては、下記の特許文献１に記載のレンズ駆動装置が知られている。
【０００３】
以下、図２１を用いて、特許文献１に記載のレンズ駆動装置について説明する。図２１は、特許文献１に記載のレンズ駆動装置９００の構成を示す分解斜視図である。
【０００４】
特許文献１に記載のレンズ駆動装置９００は、レンズ体を保持可能なレンズ保持部材９１２とレンズ保持部材９１２を光軸方向へ移動可能に支持する付勢部材と付勢部材の一部を固定する固定部材９１１と、磁石９１５、コイル９１３及びヨーク９１４を有した移動機構９１０とを備え、付勢部材が上側板ばね９１６と下側板ばね９１７とからなる。また、コイル９１３はレンズ保持部材９１２の周囲に巻回されており、磁石９１５の磁界の中に配設されたコイル９１３に電流を流すことで、コイル９１３には所定の方向に向いた電磁力が働く。コイル９１３に働く電磁力により、コイル９１３が巻回されたレンズ保持部材９１２は移動させられる。このようにレンズ保持部材９１２が移動することで、レンズ駆動装置９００を搭載した携帯機器は撮影画像の焦点を合わせることができる。また、レンズ駆動装置９００は、レンズ保持部材９１２を上側板ばね９１６と下側板ばね９１７とで、初期状態においては中立位置に保持させている。
【先行技術文献】
【特許文献】
【０００５】
【特許文献１】実用新案登録第３１８３１０１号公報
【発明の概要】
【発明が解決しようとする課題】
【０００６】
特許文献１に記載のレンズ駆動装置９００は、初期状態においては中立位置に保持させるために、上側板ばね９１６はレンズ保持部材９１２を上方側へ、下側板ばね９１７はレンズ保持部材９１２を下方側へ付勢している。また、上側板ばね９１６とレンズ保持部材９１２とが、接着により固定されている。そのため、誤って落としてしまった場合などに衝撃が加わると、上側板ばね９１６とレンズ保持部材９１２との接着が剥がれる恐れがある。
【０００７】
本発明は、上述した課題を解決して、上側板ばねとレンズ保持部材との固定部分が外れ難いレンズ駆動装置を提供するものである。
【課題を解決するための手段】
【０００８】
請求項１に記載のレンズ駆動装置においては、レンズ体を保持可能な筒状のレンズ保持部材と、前記レンズ保持部材を収容する筐体を含む固定側部材と、前記レンズ保持部材を光軸方向へ移動可能に支持する付勢部材と、前記レンズ保持部材を光軸方向に沿って移動させる少なくとも磁石及びコイルを有して構成される移動機構とを備え、前記付勢部材は、前記レンズ保持部材の上部に固定される上側板ばねと下部に固定される下側板ばねとからなり、前記上側板ばねは、前記レンズ保持部材に取り付けられる第１部分と、前記固定側部材に固定される第２部分と、前記第１部分と第２部分との間に位置する弾性腕部とを有するレンズ駆動装置において、前記レンズ保持部材は、前記上側板ばねの第１部分を取り付ける取付部を有し、前記取付部は、光軸方向に交差する方向へ延出されたフック部を有し、前記フック部は下面に前記第１部分と係合する受け部を有し、前記受け部に前記第１部分が対向した状態で、前記上側板ばねの前記第１部分が前記フック部に取り付けられている、という特徴を有する。
【０００９】
請求項２に記載のレンズ駆動装置においては、前記フック部の上面には、前記フック部の先端側へ向かって高さが低くなる第１テーパ部が設けられている、という特徴を有する。
【００１０】
請求項３に記載のレンズ駆動装置においては、前記受け部は、光軸方向と直交する平坦面に形成された当接部と、前記当接部に連続するとともに、前記弾性腕部側に向かうにしたがって前記第１部分との間隔が広がるように傾斜する第２テーパ部とを有し、前記当接部と前記第１部分とが係合される、という特徴を有する。
【００１１】
請求項４に記載のレンズ駆動装置においては、前記第１部分は、基部と中間部とを有し、前記中間部は、前記基部よりも幅狭でかつ前記弾性腕部よりも幅広に形成され、前記基部と前記弾性腕部との間に位置するとともに、前記弾性腕部に接続する側の前記中間部の一部は前記第２テーパ部の下方に位置している、という特徴を有する。
【００１２】
請求項５に記載のレンズ駆動装置においては、前記第１部分の一部は、前記レンズ保持部材に接着されている、という特徴を有する。
【００１３】
請求項６に記載のレンズ駆動装置においては、前記第１部分は、前記レンズ保持部材の開口部を挟んで対向する位置にそれぞれ設けられており、前記第１部分に対応して、前記取付部が設けられ、前記取付部に備えられた前記フック部は、それぞれ前記開口部から離れる方向へ延出している、という特徴を有する。
【００１４】
請求項７に記載のレンズ駆動装置においては、前記コイルに電流を通電しない初期状態において、前記上側板ばねは前記レンズ保持部材を上方側に付勢していると共に、前記下側板ばねは前記レンズ保持部材を下方側に付勢している、という特徴を有する。
【発明の効果】
【００１５】
請求項１の発明によれば、受け部に第１部分が対向した状態で、上側板ばねの第１部分がフック部に取り付けられているので、落下による衝撃により接着が剥がれるような破壊は起こり難い。また、受け部で第１部分の浮きを防止して、確実に上側板ばねとレンズ保持部材とを係止することが可能となる。したがって、上側板ばねとレンズ保持部材との係止が外れ難いレンズ駆動装置を提供することができる、という効果を奏する。
【００１６】
請求項２の発明によれば、上側板ばねをレンズ保持部材に係合するときに、第１テーパ部に沿って上側板ばねの第１部分を案内させることができるので、製造時に、第１部分をフック部の下方に容易に装着することが可能となる。したがって、組立性を良くすることができる、という効果を奏する。
【００１７】
請求項３の発明によれば、受け部に第２テーパ部を設け、上側板ばねを装着するときに、上側板ばねを第２テーパ部で案内することで、上側板ばねの取り付けをより容易ものとすることができる。また、当接部で上側板ばねを押える構成とすることで、取り付け時に位置ズレが発生した場合であっても、上側板ばねの弾性腕部が保持されることが発生しにくく、弾性腕部のばね定数が変化するのを抑制できる、という効果を奏する。
【００１８】
請求項４の発明によれば、弾性腕部に接続する側の中間部の一部は第２テーパ部の下方に位置している構成となっているため、上側板ばねの位置ズレが発生しても、弾性腕部が押えられることをより確実に回避でき、位置ズレに伴う弾性腕部のばね定数の変化を抑えることができる。したがって、より動作精度の良いレンズ駆動装置を提供することが出来る、という効果を奏する。
【００１９】
請求項５の発明によれば、上側板ばねとレンズ保持部材とが接着によっても固定されることで、上側板ばねとレンズ保持部材とがより確実に固定される。これにより、上側板ばねの光軸方向と直交する水平方向の動きを規制することができるので、上側板ばねによって、適切な付勢力をレンズ保持部材に付与することが可能となる。したがって、さらに動作精度の良いレンズ駆動装置を提供することが出来る、という効果を奏する。
【００２０】
請求項６の発明によれば、対向する位置にあるフック部が逆向きであるので、上側板ばねがいずれか一方側に寄って取り付けられ難くなる。これにより、上側板ばねは、光軸方向へより適切な付勢力をレンズ保持部材に付与することが可能となる。したがって、よりさらに動作精度の良いレンズ駆動装置を提供することが出来る、という効果を奏する。
【００２１】
請求項７の発明によれば、初期状態において、レンズ保持部材は上側板ばねの付勢力と下側板ばねの付勢力とが釣り合った位置に保持される。レンズ保持部材がこのように保持されることで、レンズ保持部材は初期状態における位置から、光軸方向のどちらの方向にも移動可能である。したがって、レンズ駆動装置が取り付けられた電子機器を用いて撮影する際に、初期状態からのレンズ保持部材の移動量を少なくして、焦点を合わせることができる、という効果を奏する。
【００２２】
以上より、本発明によれば、上側板ばねとレンズ保持部材との固定部分が外れ難いレンズ駆動装置を提供することができる。
【図面の簡単な説明】
【００２３】
【図１】第１実施形態におけるレンズ駆動装置１００の構成を示す分解斜視図である。
【図２】第１実施形態におけるレンズ駆動装置１００の外観を示す図であり、図２（ａ）はレンズ駆動装置１００の外観を示す斜視図であり、図２（ｂ）は図２（ａ）に示すＺ１方向側から見た状態のレンズ駆動装置１００を示す平面図である。
【図３】第１実施形態におけるレンズ保持部材１の外観を示す図であり、図３（ａ）はレンズ保持部材１の外観を示す斜視図であり、図３（ｂ）は図３（ａ）に示すＺ２方向側から見た状態のレンズ保持部材１を示す斜視図である。
【図４】図３（ａ）に示すＡ部を拡大して示した斜視図である。
【図５】第１実施形態における取付部１ａの外観を示す図であり、図５（ａ）は図４に示すＹ２方向側から見た状態の取付部１ａを示す側面図であり、図５（ｂ）は図４に示すＸ２方向側から見た状態の取付部１ａを示す側面図である。
【図６】第１実施形態におけるコイル４がレンズ保持部材１に巻回された状態を示す図であり、図６（ａ）はコイル４がレンズ保持部材１に巻回された状態を示す斜視図であり、図６（ｂ）は図６（ａ）に示すＺ２方向側から見た状態のコイル４が巻回されたレンズ保持部材１を示す斜視図である。
【図７】第１実施形態における上側板ばね５の外観を示す図であり、図７（ａ）は上側板ばね５の外観を示す斜視図であり、図７（ｂ）は図７（ａ）に示すＢ部をＺ１方向側から見た状態を示す拡大図である。
【図８】第１実施形態における下側板ばね６の外観を示す斜視図である。
【図９】第１実施形態における筐体７の外観を示す図であり、図９（ａ）は筐体７の外観を示す斜視図であり、図９（ｂ）は図９（ａ）に示すＺ２方向側から見た状態の筐体７を示す平面図である。
【図１０】第１実施形態におけるロアケース８の外観を示す斜視図である。
【図１１】図２に記載の断面Ｃ−Ｃを示す模式断面図である。
【図１２】第１実施形態におけるレンズ保持部材１と下側板ばね６との固定状態を示す図であり、図１２（ａ）はレンズ保持部材１と下側板ばね６との固定状態を示す平面図であり、図１２（ｂ）は図１２（ａ）に示すＥ部をＸ１方向側から見た状態を示す模式側面図である。
【図１３】第１実施形態における下側板ばね６とロアケース８との連結方法を示す平面図である。
【図１４】図２に記載の断面Ｄ−Ｄを示す模式断面図である。
【図１５】第１実施形態におけるレンズ保持部材１と上側板ばね６との固定方法を示す模式図である。
【図１６】第１実施形態におけるレンズ保持部材１と上側板ばね６との接触状態を示す側面図である。
【図１７】第１実施形態における中間部５ｅと第２テーパ部１ｆとの位置関係を示す平面図である。
【図１８】図１４に示すＧ部をＺ１方向側から見た内壁部７ｂ、コイル４および磁石３の位置関係を示す模式図である。
【図１９】第１実施形態におけるレンズ保持部材１が上方へ移動した状態のレンズ駆動装置１００を示す模式断面図である。
【図２０】第１実施形態におけるレンズ保持部材１が下方へ移動した状態のレンズ駆動装置１００を示す模式断面図である。
【図２１】特許文献１に記載のレンズ駆動装置９００の構成を示す分解斜視図である。
【発明を実施するための形態】
【００２４】
［第１実施形態］
以下に第１実施形態におけるレンズ駆動装置について説明する。
【００２５】
まず始めに本実施形態におけるレンズ駆動装置１００の構成について図１ないし図１０を用いて説明する。図１は第１実施形態におけるレンズ駆動装置１００の構成を示す分解斜視図である。図２は第１実施形態におけるレンズ駆動装置１００の外観を示す図であり、図２（ａ）はレンズ駆動装置１００の外観を示す斜視図であり、図２（ｂ）は図２（ａ）に示すＺ１方向側から見た状態のレンズ駆動装置１００を示す平面図である。図３は第１実施形態におけるレンズ保持部材１の外観を示す図であり、図３（ａ）はレンズ保持部材１の外観を示す斜視図であり、図３（ｂ）は図３（ａ）に示すＺ２方向側から見た状態のレンズ保持部材１を示す斜視図である。図４は図３（ａ）に示すＡ部を拡大して示した斜視図である。図５は第１実施形態における取付部１ａの外観を示す図であり、図５（ａ）は図４に示すＹ２方向側から見た状態の取付部１ａを示す側面図であり、図５（ｂ）は図４に示すＸ２方向側から見た状態の取付部１ａを示す側面図である。図６は第１実施形態におけるコイル４がレンズ保持部材１に巻回された状態を示す図であり、図６（ａ）はコイル４がレンズ保持部材１に巻回された状態を示す斜視図であり、図６（ｂ）は図６（ａ）に示すＺ２方向側から見た状態のコイル４が巻回されたレンズ保持部材１を示す斜視図である。図７は第１実施形態における上側板ばね５の外観を示す図であり、図７（ａ）は上側板ばね５の外観を示す斜視図であり、図７（ｂ）は図７（ａ）に示すＢ部をＺ１方向側から見た状態を示す拡大図である。図８は第１実施形態における下側板ばね６の外観を示す斜視図である。図９は第１実施形態における筐体７の外観を示す図であり、図９（ａ）は筐体７の外観を示す斜視図であり、図９（ｂ）は図９（ａ）に示すＺ２方向側から見た状態の筐体７を示す平面図である。図１０は第１実施形態におけるロアケース８の外観を示す斜視図である。
【００２６】
レンズ駆動装置１００は、図１に示すように、レンズ保持部材１と、筐体７およびロアケース８からなる固定側部材２と、磁石３と、コイル４と、上側板ばね５および下側板ばね６からなる付勢部材３０とを備え、図１に示すように、略直方体状に形成され、レンズ保持部材１を光軸方向ＬＤへ移動させることができる。
【００２７】
レンズ保持部材１は合成樹脂材からなり、図３に示すように、レンズ体を保持可能な筒状に形成されている。レンズ保持部材１は、円筒状に形成された筒状部１ｈを有する。筒状部１ｈは、両端が開放され中空の開口部１ｇを有している。なお、開口部１ｇの内周壁に沿ってレンズ体を保持するためのネジが形成されている。また、筒状部１ｈの外周面には、外方へ向かって突出したコイル保持部１ｑが等間隔に４箇所設けられている。なお、本実施形態においては、筒状部１ｈのＸ１−Ｘ２方向の両側、およびＹ１−Ｙ２方向の両側に設けられている。また、筒状部１ｈの一端側（Ｚ１方向側）には、端部の外周面から離れる方向へ延設された上側板ばね配置部１ｋが設けられている。上側板ばね配置部１ｋは開口部１ｇを挟んで対向する位置に１箇所ずつ設けられており、本実施形態においては、Ｘ１−Ｘ２方向の両端部に１箇所ずつ設けられている。また、レンズ保持部材１は、Ｘ１−Ｘ２方向の両端部に形成された上側板ばね配置部１ｋの両側に、図４に示すように、それぞれ取付部１ａを有している。取付部１ａは、光軸方向ＬＤの一方（Ｚ１方向）に突出し、光軸方向ＬＤ（Ｚ１−Ｚ２方向）に交差する方向へ延出されたフック部１ｂを有している。なお、取付部１ａに備えられたフック部１ｂは、それぞれ開口部１ｇから離れる方向（図４においてはＸ２方向）へ延出している。また、フック部１ｂの上面（Ｚ１方向側の面）には、図５に示すように、フック部１ｂの先端側へ向かって高さが低くなる第１テーパ部１ｄが設けられている。また、フック部１ｂは下面に受け部１ｃを有し、受け部１ｃは、光軸方向ＬＤと直交する平坦面に形成された当接部１ｅと、当接部１ｅに連続するとともに、当接部１ｅから離れるほど上方へ傾斜する第２テーパ部１ｆとを有している。なお、当接部１ｅは、受け部１ｃにおいて、隣り合う上側板ばね配置部１ｋ側（図５（ｂ）においてはＹ１方向側）に設けられ、第２テーパ部１ｆは当接部１ｅを挟んで上側板ばね配置部１ｋの反対側に設けられている。また、図４に示すように、上側板ばね配置部１ｋは、上面の中央部に直方体状に上方へ突出した規制突起１ｒを有するとともに、規制突起１ｒの両側（Ｙ１方向側とＹ２方向側）に円形の凹形状に形成された凹部１ｓが一つずつ形成されている。
【００２８】
また、レンズ保持部材１は、図３に示すように、筒状部１ｈの他端側（Ｚ２方向側）に、端部の外周面から離れる方向へ延設された鍔部１ｍを有している。鍔部１ｍは筒状部１ｈのほぼ全周にわたって設けられている。鍔部１ｍを含めて筒状部１ｈの他端側の端面には、下側保持突起１ｎと巻回用突起１ｐとが形成されている。下側保持突起１ｎは、円柱状に光軸方向ＬＤに沿って（Ｚ２方向へ向かって）突出して設けられ、開口部１ｇを挟んで対向する位置（図３においてはＹ１方向側とＹ２方向側）にそれぞれ２箇所ずつ設けられている。また、巻回用突起１ｐは開口部１ｇを挟んで対向する位置（図３においてはＸ１方向側とＸ２方向側）にそれぞれ１箇所ずつ設けられている。
【００２９】
コイル４は導電性を備えた金属線材からなり、図１に示すように、筒の外周に沿って巻回されたように形成された巻回部４ａを有し、金属線材の両側の端部４ｂは巻回部４ａから延出して設けられている。なお、巻回部４ａを形成する部分の金属線材は、表面が非導電性の材料により被覆されており、巻回された箇所同士は、金属線材の表面においては絶縁され、コイルに電流を流した場合には、電流は金属線材に沿って周回するように流れる。なお、本実施形態においては、図６に示すように、コイル４はレンズ保持部材１のコイル保持部１ｑに金属線材が巻かれて形成される。すなわち、レンズ保持部材１の外周に線材が巻かれて巻回部４ａが形成される。なお、巻回部４ａを上方（Ｚ１方向側）から見たときに、巻回部４ａは、第１の長さＬ１の短辺と、第１の長さＬ１より長い第２の長さＬ２の長辺を交互につなげた八角形状に形成されている。巻回部４ａの長辺に当たる箇所はコイル保持部１ｑに接触し、巻回部４ａの短辺に当たる箇所は筒状部１ｈとの間に隙間を有している。また、コイル４の端部４ｂは、それぞれレンズ保持部材１の巻回用突起１ｐに巻かれて保持される。巻回用突起１ｐに巻かれて保持されたコイル４の端部４ｂの先端は巻回用突起１ｐに、接着剤等で止められている、金属線材が樹脂に埋め込まれている、等の方法で、巻きつけた金属線材がほつれないようにする手当てが施されている。なお、巻き始めにおいては、巻回用突起１ｐに接した状態で並べた端部４ｂの先端部を、巻回用突起１ｐとともに、その周囲に先端部以外の箇所を巻きつけることで押さえる方法であっても良い。また、巻回用突起１ｐに巻かれたコイル４の端部４ｂが、巻回用突起１ｐの根元部側から延出して巻回部４ａと繋がっている。
【００３０】
付勢部材３０は、図１に示すように、上側板ばね５と下側板ばね６とからなる。上側板ばね５は金属薄板からなり、図７に示すように、上側第１部分５ａ（第１部分）と、上側第２部分５ｂ（第２部分）と、上側第１部分５ａと上側第２部分５ｂとの間に位置する上側弾性腕部５ｃ（弾性腕部）とを有する。なお、上側第２部分５ｂは上側第１部分５ａの外側に配置されている。上側第１部分５ａは、略長方形状に形成された基部５ｄと、基部５ｄの両側に連続して設けられた中間部５ｅとを有している。基部５ｄは両側（Ｙ１方向側とＹ２方向側）に円形の貫通孔である取り付け孔５ｆを有するとともに、取り付け孔５ｆに挟まれた部分に切り欠きされた切り欠き部５ｇを有する。なお、取り付け孔５ｆ同士の間隔は、レンズ保持部材１の凹部１ｓ同士の間隔とほぼ同じであり、切り欠き部５ｇは規制突起１ｒを配置可能な大きさに切りかかれている。また、中間部５ｅは、基部５ｄよりも幅狭でかつ上側弾性腕部５ｃよりも幅広に形成されており、基部５ｄと上側弾性腕部５ｃとの間に位置する。なお、上側第１部分５ａは、レンズ保持部材１の開口部１ｇの直径と同等の間隔を空けるとともに、切り欠き部５ｇを互いに逆方向に向けて対向する位置にそれぞれ設けられている。上側第２部分５ｂは長方形の環状に形成されている。また、上側第２部分５ｂは、長方形の四隅の部分に、環状の内側へ延設され、略三角形状に形成された固定部５ｈを有する。上側弾性腕部５ｃは蛇行した線状に形成され、上側第１部分５ａの中間部５ｅと、上側第２部分５ｂの固定部５ｈとを繋いで設けられている。なお、上側弾性腕部５ｃは弾性を備えており、例えば、上側第２部分５ｂを固定した場合に、上側弾性腕部５ｃが撓むことで、上側第１部分５ａは上下方向に移動可能である。
【００３１】
下側板ばね６は金属薄板からなり、図８に示すように、線対称形状に形成された第１部材６Ａと第２部材６Ｂとからなり、第１部材６Ａと第２部材６Ｂとを並べて配置することで、長方形の環状に形成される。以下に説明する部位は第１部材６Ａと第２部材６Ｂとの両方にあるものとして、特別に断らない限りは第１部材６Ａおよび第２部材６Ｂを区別することなく、下側板ばね６として説明する。下側板ばね６は、下側第１部分６ａと、下側第２部分６ｂと、下側第１部分６ａと下側第２部分６ｂとの間に位置する下側弾性腕部６ｃとを有する。なお、下側第２部分６ｂは下側第１部分６ａの外側に配置されている。下側第１部分６ａは円弧状に形成され、中央部に長方形の板状に形成された第１保持部６ｄを有し、両端部に略三角形の板状に形成された第２保持部６ｅを有する。第２保持部６ｅは、レンズ保持部材１の下側保持突起１ｎを挿通可能な第１保持孔６ｆを、それぞれ有している。下側第２部分６ｂは両端に平板状に形成された第３保持部６ｇを有し、第３保持部６ｇは桟部６ｈにより連結されている。また、第３保持部６ｇには、それぞれ貫通孔である第２保持孔６ｋが形成されている。なお、一端側（Ｙ２方向側）に形成された第２保持孔６ｋは円形であり、他端側（Ｙ１方向側）に形成された第２保持孔６ｋは略長方形状に形成されている。下側弾性腕部６ｃは蛇行した線状に形成され、下側第１部分６ａの第２保持部６ｅと下側第２部分６ｂの第３保持部６ｇとを繋いで設けられている。なお、一端側に配置された下側弾性腕部６ｃと第１保持部６ｄとの間には、レンズ保持部材１の巻回用突起１ｐを挿通可能な間隔が取られている。第１部材６Ａと第２部材６Ｂとは、互いの第２保持部６ｅ同士が向き合うように配置され、下側第１部分６ａは、直径がレンズ保持部材１の筒状部１ｈの直径と同程度の円形状を形成する。なお、第１部材６Ａの第１保持孔６ｆと第２部材６Ｂの第１保持孔６ｆとの離間距離は、レンズ保持部材１の下側保持突起１ｎ同士の離間距離と同じ距離である。なお、下側弾性腕部６ｃは弾性を備えており、例えば、下側第２部分６ｂを固定した場合に、下側弾性腕部６ｃが撓むことで、下側第１部分６ａは上下方向に移動可能である。
【００３２】
固定側部材２は、図１に示すように、ロアケース８および筐体７を含んで形成される。筐体７は磁性を有する金属板からなり、図９に示すように、内部が中空で略直方体状に形成されるとともに、下方が開放されている。筐体７は、環状の外壁部７ａと、外壁部７ａの内側に位置する４つの内壁部７ｂと、外壁部７ａと内壁部７ｂとを間隔をあけて連結する天板部７ｃとを有し、外壁部７ａと内壁部７ｂとは天板部７ｃに対して垂直で同一な方向（Ｚ２方向）へ突出して設けられている。四方の外壁部７ａはそれぞれ交差し、交差する箇所にはそれぞれ角部７ｄが形成されている。内壁部７ｂは、外壁部７ａの内側であり、角部７ｄに対向する位置にそれぞれ設けられている。内壁部７ｂは、Ｚ１−Ｚ２方向からの平面視にて円弧形状をなして配置されている。また、内壁部７ｂは、天板部７ｃの一部を板金加工して形成されており、天板部７ｃの中央には平面視にて内壁部７ｂがなす円弧形状に沿うように貫通孔部７ｅが形成されている。貫通孔部７ｅはレンズ保持部材１の筒状部１ｈを挿通可能な直径であるとともに、内壁部７ｂがなす円弧形状の直径はコイル４の巻回部４ａの大きさ（対向して配置される短辺間の間隔）よりも小さい。
【００３３】
ロアケース８は合成樹脂材からなり、図１０に示すように、下方（Ｚ２方向）から平面視するとその外形は長方形状であり、中央に円形状の貫通孔である開口孔部８ａを有した環状に形成されている。ロアケース８は上面の四隅に、それぞれ平面状に形成された載置部８ｃを有し、載置部８ｃには、Ｚ１方向へ突出した取り付け突起８ｂを有している。また、取り付け突起８ｂは、下側板ばね２の第２保持孔６ｋに挿通可能な大きさに形成されるとともに、第２保持孔６ｋの配置に対応して配置されている。また、ロアケース８には金属板材からなる金属部材９が一部露出した状態で埋設されている。ロアケース８の他方側（Ｙ２方向側）に設けられた載置部８ｃには、金属部材９の一部である第１接続面部９ａと第２接続面部９ｂとが露出して設けられている。第１接続面部９ａはＸ１方向側の載置部８ｃに露出し、第２接続面部９ｂはＸ２方向側の載置部８ｃに露出しており、第１接続面部９ａと第２接続面部９ｂとは絶縁されている。また、ロアケース８の下面の他方側の端部には、金属部材９の一部である第１接続端子部９ｃと第２接続端子部９ｄとが下方へ突出して設けられている。第１接続端子部９ｃは下面のＸ１方向側から突出し、第２接続端子部９ｄは下面のＸ２方向側から突出して形成されている。なお、第１接続面部９ａと第１接続端子部９ｃとは電気的に接続されるとともに、第２接続面部９ｂと第２接続端子部９ｄとは電気的に接続されている。また、ロアケース８の四隅には金属部材９の一部である保持部９ｅが露出している。保持部９ｅは第１接続面部９ａおよび第２接続面部９ｂとは絶縁されている。
【００３４】
磁石３は筐体７の内壁部７ｂ、角部７ｄ、および角部７ｄに連続する外壁部７ａに挟まれた空間に配置可能に形成され、図１に示すように、Ｚ１方向から平面視したときに斜辺の長さが等しい略台形の柱状に形成されている。なお、台形の短辺に対応する面を第１面３ａ、斜辺に対応する面を第２面３ｂ、長辺に対応する面を第３面３ｃとする。第１面３ａは筐体７の角部７ｄの内面形状に一致するように形成され、第２面３ｂは外壁部７ａの内面形状に一致するように形成され、第３面３ｃは、台形の長辺に対応する長さが第１の長さＬ１（図６参照）よりも短く形成されている。
【００３５】
次にレンズ駆動装置１００の構造について図６、および図１１ないし図１７を用いて説明する。図１１は図２に記載の断面Ｃ−Ｃを示す模式断面図である。図１２は第１実施形態におけるレンズ保持部材１と下側板ばね６との固定状態を示す図であり、図１２（ａ）はレンズ保持部材１と下側板ばね６との固定状態を示す平面図であり、図１２（ｂ）は図１２（ａ）に示すＥ部をＸ１方向側から見た状態を示す模式側面図である。図１３は第１実施形態における下側板ばね６とロアケース８との連結方法を示す平面図である。図１４は図２に記載の断面Ｄ−Ｄを示す模式断面図である。図１５は第１実施形態におけるレンズ保持部材１と上側板ばね６との固定方法を示す模式図である。図１６は第１実施形態におけるレンズ保持部材１と上側板ばね６との接触状態を示す側面図である。図１７は第１実施形態における中間部５ｅと第２テーパ部１ｆとの位置関係を示す平面図である。
【００３６】
図６に示すように、コイル４はレンズ保持部材１の筒状部１ｈの周囲に巻かれて巻回部４ａを形成するとともに、コイル４の端部４ｂは巻回用突起１ｐに巻かれて保持されている。また、図１１に示すように、下側板ばね６はレンズ保持部材１の鍔部１ｍの下部（Ｚ２方向側）に固定される。このとき、図１２に示すように、レンズ保持部材１の下側保持突起１ｎを下側板ばね６の第１保持孔６ｆに挿通し、下側保持突起１ｎをかしめる。また、このとき、コイル４の端部４ｂが巻かれた巻回用突起１ｐは下側第１部分６ａに僅かな隙間を空けて、図１２においては、下側第１部分６ａのＹ２方向側に配置される。巻回用突起１ｐに巻かれたコイル４の端部４ｂは下側第１部分６ａと半田ＳＤにより固定される。したがって、下側板ばね６の第１部材６Ａと第２部材６Ｂとは、それぞれレンズ保持部材１に３箇所で固定される。また、ロアケース８は、図１１に示すように、下側板ばね６の下方に配置され、下側板ばね６と連結される。このとき、図１３に示すように、下側板ばね６はロアケース８の載置部８ｃ上に載置され、ロアケース８の取り付け突起８ｂはそれぞれ対応する第２保持孔６ｋに挿入される。第２保持孔６ｋに挿入された取り付け突起８ｂをかしめることで、下側板ばね６の下側第２部分６ｂとロアケース８とは連結される。また、下側板ばね６は、載置部８ｃ上に載置されることで第１接続面部９ａおよび第２接続面部９ｂに接触するとともに、溶接ＷＰにより固定される。このように、下側板ばね６を介してロアケース８に連結されたレンズ保持部材１は、ロアケース８が動かず固定されるとすると、下側板ばね６の付勢力により下方へ付勢されるとともに、図１１に示す光軸方向ＬＤ（Ｚ１−Ｚ２方向）へ移動可能に支持される。また、このような構成とすることで、コイル４および下側板ばね６を介して、第１接続端子部９ｃ（図１０参照）と第２接続端子部９ｄ（図１０参照）とは電気的に接続される。
【００３７】
上側板ばね５は、図１４に示すように、筐体７の内側に配置される。このとき、上側板ばね５は、上側第２部分５ｂが天板部７ｃと接触するように、筐体７の外壁部７ａ（図９参照）と内壁部７ｂとの間に収められる。磁石３は、第１面３ａを筐体７の角部７ｄに接触させるとともに、第２面３ｂ（図１参照）を角部７ｄの両側に連続する外壁部７ａに接触させた状態で、筐体７の４つの角部７ｄの内側にそれぞれ配置される。また、磁石３は上側板ばね５の固定部５ｈを筐体７の天板部７ｃとで挟持した状態で筐体７に接着され固定される。これにより、上側板ばね５は上側第２部分５ｂが固定側部材２の一部である筐体7に固定される。このように磁石３及び上側板ばね５が固定された筐体７は、レンズ保持部材１を内部に収容するようにロアケース８に重ねて配置される。このとき、筐体７の内壁部７ｂはレンズ保持部材１の筒状部１ｈとコイル４との隙間に挿入されるとともに、コイル４は内壁部７ｂと磁石３との間に挿入される。なお、隣り合う筒状部１ｈ、内壁部７ｂ、コイル４および磁石３はそれぞれ離間している。このように内壁部７ｂ、コイル４および磁石３が配置されることで、本実施形態においては、ヨークとして機能する筐体７、磁石３及びコイル４を有して構成される移動機構５０が形成される。また、図１１に示すように、レンズ保持部材１の上部に固定される上側板ばね５は、上側第１部分５ａに対応してレンズ保持部材１の開口部１ｇを挟んで対向する位置にそれぞれ設けられた取付部１ａに上側第１部分５ａが取り付けられる。このように取り付けられた上側板ばね５はレンズ保持部材１を上方側に付勢する。
【００３８】
なお、上側第１部分５ａは、取付部１ａに取り付けられる際に、図１５に示すように、レンズ保持部材１の第１テーパ部１ｄに当接する。第１テーパ部１ｄに当接後、上側第１部分５ａは下方（Ｚ２方向）へ押圧されるが、上側弾性腕部５ｃ（図７参照）が撓むことで、第１テーパ部１ｄに沿って、側方の一方側（図１５においてはＸ２方向）へスライドしながら下方へ移動する。上側第１部分５ａは第１テーパ部１ｄに沿って下方へ移動し、第１テーパ部１ｄを過ぎると、上側第１部分５ａを側方の一方側へ押圧する力は無くなる。上側第１部分５ａを側方の一方側へ押圧する力が無くなると、上側弾性腕部５ｃの復帰力により上側第１部分５ａは側方の他方側（図１５においてはＸ１方向）へスライドし、フック部１ｂの下方に配置される。すなわち、フック部１ｂの下面に設けられた受け部１ｃに上側第１部分５ａが対向した状態で、上側第１部分５ａはレンズ保持部材１の受け部１ｃと係合し、上側板ばね５の上側第１部分５ａがフック部１ｂに取り付けられている。いわゆるスナップインで、上側板ばね５はレンズ保持部材１に固定される。なお、実際には、図１６に示すように、受け部１ｃの一部である当接部１ｅと上側第１部分５ａ（中間部５ｅ）とが当接して係合されている。受け部１ｃの一部である第２テーパ部１ｆは、上側弾性腕部５ｃ側（図１６においてはＹ２方向側）に向かうにしたがって上側第１部分５ａとの間隔が広がるように傾斜しているため、上側第１部分５ａとは離間している。また、図１７に示すように、上側弾性腕部５ｃに接続する側の中間部５ｅの一部は第２テーパ部１ｆの下方に位置している。また、上側第１部分５ａの一部は、レンズ保持部材１に接着されており、本実施形態においては図１７に示すＦ部付近で上側第１部分５ａとレンズ保持部材１とを接着している。このようにしてレンズ駆動装置１００は形成されている。なお、理解を容易にするために、図１６においては、当接部１ｅが中間部５ｅとわずかに離れているように図示しているが、実際には当接部１ｅは中間部５ｅと接している。
【００３９】
次にレンズ駆動装置１００の動作について図１１、図１４、図１８ないし図２０を用いて説明する。図１８は図１４に示すＧ部をＺ１方向側から見た内壁部７ｂ、コイル４および磁石３の位置関係を示す模式図である。図１９は第１実施形態におけるレンズ保持部材１が上方へ移動した状態のレンズ駆動装置１００を示す模式断面図である。図２０は第１実施形態におけるレンズ保持部材１が下方へ移動した状態のレンズ駆動装置１００を示す模式断面図である。なお、図１９および図２０においては、初期状態におけるレンズ保持部材１、コイル４、上側板ばね５および下側板ばね６を破線で示している。
【００４０】
レンズ駆動装置１００において、上側板ばね５はレンズ保持部材１を上方側に付勢していると共に、下側板ばね６はレンズ保持部材１を下方側に付勢している。そのため、電力が供給されていない状態、すなわち、コイル４に電流を通電しない初期状態において、図１１に示すように、レンズ保持部材１を下方へ付勢する下側板ばね６の付勢力と、レンズ保持部材１を上方へ付勢する上側板ばね５の付勢力と、が釣り合う位置にレンズ保持部材１は位置している。なお、レンズ保持部材１は、下側板ばね６の付勢力および上側板ばね５の付勢力に抗して上下方向（Ｚ１−Ｚ２方向）に移動可能である。すなわち、付勢部材３０が、レンズ保持部材１を光軸方向ＬＤへ移動可能に支持している。
【００４１】
内壁部７ｂ、磁石３及びコイル４を有して構成され、レンズ保持部材１を光軸方向ＬＤに沿って移動させる移動機構５０は、図１４および図１８に示すように、同一直線上に内壁部７ｂ、コイル４、磁石３の順番に配置されている。レンズ駆動装置１００には、第１接続端子部９ｃ（図１０参照）および第２接続端子部９ｄ（図１０参照）を介して電力を供給することができ、電力が供給されるとコイル４に電流が流れる。また、磁石３の磁界の向きは、図１８に示す矢印Ｈの方向とする。移動機構５０においては、磁石３とコイル４とは対向する位置に配置されている、すなわち磁石３の磁界の中にコイル４が配置されているため、コイル４に電流が流れると、コイル４にはローレンツ力が働く。
【００４２】
レンズ駆動装置１００に電力が供給され、例えば、図１８に示す矢印Ｋの方向に電流が流れた場合、コイル４には、図１４に示すＺ１方向のローレンツ力が働き、コイル４と一体となったレンズ保持部材１は、図１９に示すように、下側板ばね６の付勢力に抗して上方向（Ｚ１方向）に移動する。
【００４３】
また、図１８に示す矢印Ｌの方向に電流が流れた場合、コイル４には、図１４に示すＺ２方向のローレンツ力が働き、レンズ保持部材１は、図２０に示すように、上側板ばね５の付勢力に抗して下方向（Ｚ２方向）に移動する。
【００４４】
このようにコイル４に流す電流の向きを変えることで、レンズ保持部材１を光軸方向ＬＤに沿って動作させることができる。なお、実際には、開口部１ｇに図示しないレンズ体が固定され、レンズ保持部材１をレンズ体と一体に動作させることができる。
【００４５】
以下、本実施形態としたことによる効果について説明する。
【００４６】
本実施形態のレンズ駆動装置１００では、レンズ体を保持可能な筒状のレンズ保持部材１と、レンズ保持部材１を収容する筐体７を含む固定側部材２と、レンズ保持部材１を光軸方向ＬＤへ移動可能に支持する付勢部材３０と、レンズ保持部材１を光軸方向ＬＤに沿って移動させる少なくとも磁石３及びコイル４を有して構成される移動機構５０とを備え、付勢部材３０は、レンズ保持部材１の上部に固定される上側板ばね５と下部に固定される下側板ばね６とからなり、上側板ばね５は、レンズ保持部材１に取り付けられる上側第１部分５ａと、固定側部材２に固定される上側第２部分５ｂと、上側第１部分５ａと上側第２部分５ｂとの間に位置する上側弾性腕部５ｃとを有するレンズ駆動装置において、レンズ保持部材１は、上側板ばね５の上側第１部分５ａを取り付ける取付部１ａを有し、取付部１ａは、光軸方向ＬＤに交差する方向へ延出されたフック部１ｂを有し、フック部１ｂは下面に上側第１部分５ａと係合する受け部１ｃを有し、受け部１ｃに上側第１部分５ａが対向した状態で、上側板ばね５の上側第１部分５ａがフック部１ｂに取り付けられている、構成とした。
【００４７】
これにより、受け部１ｃに上側第１部分５ａが対向した状態で、上側板ばね５の上側第１部分５ａがフック部１ｂに取り付けられているので、落下による衝撃により接着が剥がれるような破壊は起こり難い。また、受け部１ｃで上側第１部分５ａの浮きを防止して、確実に上側板ばね５とレンズ保持部材１とを係止することが可能となる。したがって、上側板ばね５とレンズ保持部材１との係止が外れ難いレンズ駆動装置を提供することができる、という効果を奏する。
【００４８】
また、本実施形態のレンズ駆動装置１００では、フック部１ｂの上面には、フック部１ｂの先端側へ向かって高さが低くなる第１テーパ部１ｄが設けられている、構成とした。
【００４９】
これにより、上側板ばね５をレンズ保持部材１に係合するときに、第１テーパ部１ｄに沿って上側板ばね５の上側第１部分５ａを案内させることができるので、製造時に、上側第１部分５ａをフック部１ｂの下方に容易に装着することが可能となる。したがって、組立性を良くすることができる、という効果を奏する。
【００５０】
また、本実施形態のレンズ駆動装置１００では、受け部１ｃは、光軸方向ＬＤと直交する平坦面に形成された当接部１ｅと、当接部１ｅに連続するとともに、上側弾性腕部５ｃ側に向かうにしたがって上側第１部分５ａとの間隔が広がるように傾斜する第２テーパ部１ｆとを有し、当接部１ｅと上側第１部分５ａとが係合される、構成とした。
【００５１】
これにより、受け部１ｃに第２テーパ部１ｆを設け、上側板ばね５を装着するときに、上側板ばね５を第２テーパ部１ｆで案内することで、上側板ばね５の取り付けをより容易ものとすることができる。また、当接部１ｅで上側板ばね５を押える構成とすることで、取り付け時に位置ズレが発生した場合であっても、上側板ばね５の上側弾性腕部５ｃが保持されることが発生しにくく、上側弾性腕部５ｃのばね定数が変化するのを抑制できる、という効果を奏する。
【００５２】
また、本実施形態のレンズ駆動装置１００では、上側第１部分５ａは、基部５ｄと中間部５ｅとを有し、中間部５ｅは、基部５ｄよりも幅狭でかつ上側弾性腕部５ｃよりも幅広に形成され、基部５ｄと上側弾性腕部５ｃとの間に位置するとともに、上側弾性腕部５ｃに接続する側の中間部５ｅの一部は第２テーパ部１ｆの下方に位置している、構成とした。
【００５３】
これにより、上側弾性腕部５ｃに接続する側の中間部５ｅの一部は第２テーパ部１ｆの下方に位置している構成となっているため、上側板ばね５の位置ズレが発生しても、上側弾性腕部５ｃが押えられることをより確実に回避でき、位置ズレに伴う上側弾性腕部５ｃのばね定数の変化を抑えることができる。したがって、より動作精度の良いレンズ駆動装置を提供することが出来る、という効果を奏する。
【００５４】
また、本実施形態のレンズ駆動装置１００では、上側第１部分５ａの一部は、レンズ保持部材１に接着されている、構成とした。
【００５５】
これにより、上側板ばね５とレンズ保持部材１とが接着によっても固定されることで、上側板ばね５とレンズ保持部材１とがより確実に固定される。これにより、上側板ばね５の光軸方向ＬＤと直交する水平方向の動きを規制することができるので、上側板ばね５によって、適切な付勢力をレンズ保持部材１に付与することが可能となる。したがって、さらに動作精度の良いレンズ駆動装置を提供することが出来る、という効果を奏する。
【００５６】
また、本実施形態のレンズ駆動装置１００では、上側第１部分５ａは、レンズ保持部材１の開口部１ｇを挟んで対向する位置にそれぞれ設けられており、上側第１部分５ａに対応して、取付部１ａが設けられ、取付部１ａに備えられたフック部１ｂは、それぞれ開口部１ｇから離れる方向へ延出している、構成とした。
【００５７】
これにより、対向する位置にあるフック部１ｂが逆向きであるので、上側板ばね５がいずれか一方側に寄って取り付けられ難くなる。これにより、上側板ばね５は、光軸方向ＬＤへより適切な付勢力をレンズ保持部材１に付与することが可能となる。したがって、よりさらに動作精度の良いレンズ駆動装置を提供することが出来る、という効果を奏する。
【００５８】
また、本実施形態のレンズ駆動装置１００では、コイル４に電流を通電しない初期状態において、上側板ばね５はレンズ保持部材１を上方側に付勢していると共に、下側板ばね６はレンズ保持部材１を下方側に付勢している、構成とした。
【００５９】
これにより、初期状態において、レンズ保持部材１は上側板ばね５の付勢力と下側板ばね６の付勢力とが釣り合った位置に保持される。レンズ保持部材１がこのように保持されることで、レンズ保持部材１は初期状態における位置から、光軸方向ＬＤのどちらの方向にも移動可能である。したがって、レンズ駆動装置が取り付けられた電子機器を用いて撮影する際に、初期状態からのレンズ保持部材１の移動量を少なくして、焦点を合わせることができる、という効果を奏する。
【００６０】
以上のように、本発明の実施形態に係るレンズ駆動装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００６１】
［変形例１］
第１実施形態において、レンズ駆動装置１００は、上側板ばね５はレンズ保持部材１を上方側に付勢していると共に、下側板ばね６はレンズ保持部材１を下方側に付勢し、初期状態においてレンズ保持部材１は上側板ばね５の付勢力と下側板ばね６の付勢力とが釣り合った位置に配置される構成としたが、上側板ばね５および下側板ばね６はレンズ保持部材１を下方に付勢し、初期状態においてレンズ保持部材１はロアケース８に接触した状態で保持される構造であってもよい。なお、上側板ばね５および下側板ばね６はレンズ保持部材１を上方に付勢する構造であっても良い。
【００６２】
［変形例２］
第１実施形態において、移動機構５０を磁石３、コイル４、およびヨークとしての筐体７で構成しているが、移動機構５０を磁石３およびコイル４とで構成しても良い。
【００６３】
［変形例３］
第１実施形態において、対となるフック部１ｂは平行となる向きに突出しているが、平行でなくてもよい。
【符号の説明】
【００６４】
１      レンズ保持部材
１ａ    取付部
１ｂ    フック部
１ｃ    受け部
１ｄ    第１テーパ部
１ｅ    当接部
１ｆ    第２テーパ部
１ｇ    開口部
１ｈ    筒状部
１ｋ    上側板ばね配置部
１ｍ    鍔部
１ｎ    下側保持突起
１ｐ    巻回用突起
１ｑ    コイル保持部
１ｒ    規制突起
１ｓ    凹部
２      固定側部材
３      磁石
４      コイル
４ａ    巻回部
４ｂ    端部
５      上側板ばね
５ａ    上側第１部分
５ｂ    上側第２部分
５ｃ    上側弾性腕部
５ｄ    基部
５ｅ    中間部
５ｆ    取り付け孔
５ｇ    切り欠き部
５ｈ    固定部
６      下側板ばね
６Ａ    第１部材
６Ｂ    第２部材
６ａ    下側第１部分
６ｂ    下側第２部分
６ｃ    下側弾性腕部
６ｄ    第１保持部
６ｅ    第２保持部
６ｆ    第１保持孔
６ｇ    第３保持部
６ｈ    桟部
６ｋ    第２保持孔
７      筐体
７ａ    外壁部
７ｂ    内壁部
７ｃ    天板部
７ｄ    角部
７ｅ    貫通孔部
８      ロアケース
８ａ    開口孔部
８ｂ    取り付け突起
８ｃ    載置部
９      金属部材
９ａ    第１接続面部
９ｂ    第２接続面部
９ｃ    第１接続端子部
９ｄ    第２接続端子部
９ｅ    保持部
３０    付勢部材
５０    移動機構
１００  レンズ駆動装置
ＬＤ    光軸方向
【図１】
2015125417.tif 000003
【図２】
2015125417.tif 000004
【図３】
2015125417.tif 000005
【図４】
2015125417.tif 000006
【図５】
2015125417.tif 000007
【図６】
2015125417.tif 000008
【図７】
2015125417.tif 000009
【図８】
2015125417.tif 000010
【図９】
2015125417.tif 000011
【図１０】
2015125417.tif 000012
【図１１】
2015125417.tif 000013
【図１２】
2015125417.tif 000014
【図１３】
2015125417.tif 000015
【図１４】
2015125417.tif 000016
【図１５】
2015125417.tif 000017
【図１６】
2015125417.tif 000018
【図１７】
2015125417.tif 000019
【図１８】
2015125417.tif 000020
【図１９】
2015125417.tif 000021
【図２０】
2015125417.tif 000022
【図２１】
2015125417.tif 000023